(57)【要約】      （修正有）【課題】踵がつま先部よりも高くなるヒール部を有する靴を履いた場合であっても、有効に外反母趾を抑止することが可能なインソールを提供する。【解決手段】履いた場合に踵がつま先よりも高く配置するように構成されたヒール５３が裏面側に固定され、表面側にアッパー５１が固定されると共に裏面側にアウトソール５２が固定され、使用者の足の踏み付け部３３を支持する踏み付け部支持部１１と、踏み付け部支持部に連設され、後端部方向へ向かって立ち上がる傾斜を有して使用者の足の土踏まず３２に対応する土踏まず対応部１４と、土踏まず対応部に連設された踵支持部１５とを有するインソール１０において、踵支持部は使用者の踵を包み込む凹部５４を有する。【選択図】図１
0003226834.tif 000002
【実用新案登録請求の範囲】
【請求項１】
履いた場合に踵がつま先よりも高く配置するように構成されたヒールが裏面側に固定され、表面側にアッパーが固定されると共に裏面側にアウトソールが固定され、
使用者の足の踏み付け部を支持する踏み付け部支持部と、前記踏み付け部支持部に連設され、後端部方向へ向かって立ち上がる傾斜を有して使用者の足の土踏まずに対応する土踏まず対応部と、前記土踏まず対応部に連設された踵支持部とを有するインソールにおいて、
前記踵支持部は使用者の踵を包み込める凹部を有することを特徴とするインソール。
【請求項２】
前記凹部は前記踵の底部及び側方下部を収納できるように形成されていることを特徴とする請求項１記載のインソール。
【請求項３】
前記踵支持部は全体が下方へ膨出する凸状に形成され、前記踵支持部の最低部は前記アッパーとヒールとの境界部位よりも下方に位置することを特徴とする請求項１記載のインソール。
【請求項４】
前記踵支持部は、上端部と最低部との間隔寸法は８ｍｍ以上であって１０ｍｍ以下に形成されていることを特徴とする請求項１記載のインソール。
【請求項５】
前記踵支持部は、前記ヒール及び前記アウトソールが前記接地面に接地した場合には、前記踵支持部の最低部は土踏まず対応部の頂部よりも下方に配置されるように形成されていることを特徴とする請求項４記載のインソール。
【請求項６】
前記踵支持部には、踵支持部一般面よりも下方となる踵支持凹部が形成されていることを特徴とする請求項５記載のインソール。
【請求項７】
前記土踏まず対応部は、前記踵支持部に対して上方へ膨出する相対的凸部を形成することを特徴とする請求項１記載のインソール。
【請求項８】
前記土踏まず対応部は長さ方向に沿って全体が上方へ膨出する凸状に形成され、使用時には使用者の土踏まずに当接する形状に形成されていることを特徴とする請求項１記載のインソール。
【請求項９】
前記土踏まず対応部及び前記踵支持部の周縁部には上方へ突出する支持縁部が形成されていることを特徴とする請求項１乃至８のいずれか１項に記載のインソール。
【請求項１０】
前記踏み付け部支持部は、前記踏み付け部を収納できる凹部により形成されていることを特徴とする請求項１記載のインソール。
【請求項１１】
前記踏み付け部支持部は、幅方向に沿って下方へ膨出する凸状に形成され、前記踏み付け部を収納できるように形成されていることを特徴とする請求項１記載のインソール。
【請求項１２】
前記踵支持部の裏面側に形成されるヒール固定面部の幅方向断面における曲率半径は
２４ｍｍ以上２７ｍｍ以下であることを特徴とする請求項１記載のインソール。
【請求項１３】
前記踵支持部の表面側に形成される踵支持凹部の幅方向断面における曲率半径は４０ｍｍ以上４３ｍｍ以下であることを特徴とする請求項１記載のインソール。
【考案の詳細な説明】
【技術分野】
【０００１】
本考案は、インソールに関し、特に、履いた場合に踵がつま先よりも高く配置されるヒール及びアウトソールが裏面側に固定されると共にアッパーが表面側に固定された女性靴に内装されるインソールの改良に関する。
【背景技術】
【０００２】
一般に、履いた場合に踵がつま先部よりも高くなるヒールを有する靴である、いわゆるパンプス又はハイヒールが広く女性により使用されている。
しかしながら、このようなパンプスや、特に、ハイヒールにあっては、履いた場合に、踵が爪先よりも高い位置になるため、使用者の体重のほとんどがつま先及び、その踵側の踏み付け部に集中して掛かった状態で歩行することとなる。
従って、足のつま先側及び踏み付け部に負担がかかりすぎることとなり、経年時には、外反母趾を発症する場合が多い。
【０００３】
外反母趾は、第一中足骨が内反、母趾が外反する症状であり、第１中足趾節関節の関節構成体へのストレスで痛みが生じるものである。特に、いわゆるハイヒールにおいては、つま先部及び踏み付け部に全体重がかかることからその影響が顕在化しやすい。
そこで、このような外反母趾を抑止するために従来より様々な形態のインソールが提案されている。
【先行技術文献】
【特許文献】
【０００４】
【特許文献１】特開２００７−１３０２６８号公報
【特許文献２】特許第４９３３１５０号公報
【考案の概要】
【考案が解決しようとする課題】
【０００５】
このような外反母趾を抑止する観点から、特許文献１及び特許文献２には、踵分に椀形状凹部を形成したインソールが開示されている。特許文献１及び特許文献２に開示されたインソールは、合成樹脂製であって、前記椀形状凹部は、深さ寸法３ｍｍ〜４．５ｍｍ程度の側方視弓状に形成されている。
【０００６】
その結果、上記椀形状凹部は使用者の踵の底部を支持できることから、使用者の全体重がつま先部に係ることをある程度避けることができる。
しかしながら、このような従来のインソールにあっては、前記椀形状凹部は深さ３ｍｍ〜４．５ｍｍに形成されているため、ハイヒールに装着されて使用された場合には、使用者の踵を十分に支持できず、歩行中にどうしても踵が前記椀形状凹部から前出してしまい、結果的に全体重がつま先部に掛かってしまうことから、経年時においては有効に外反母趾を抑止することはできない、という不具合があった。
【０００７】
本考案は、このような問題点に鑑みなされたものでありその課題は、履いた場合に踵がつま先部よりも高くなるヒール部を有する靴を履いた場合であっても、有効に外反母趾を抑止することが可能なインソールを提供することにある。
【課題を解決するための手段】
【０００８】
上記課題を解決するために、請求項１に記載の考案は、履いた場合に踵がつま先よりも高く配置するように構成されたヒールが裏面側に固定され、表面側にアッパーが固定されると共に裏面側にアウトソールが固定され、使用者の足の踏み付け部を支持する踏み付け部支持部と、前記踏み付け部支持部に連設され、後端部方向へ向かって立ち上がる傾斜を有して使用者の足の土踏まずに対応する土踏まず対応部と、前記土踏まず対応部に連設された踵支持部とを有するインソールにおいて、前記踵支持部は使用者の踵を包み込める凹部を有することを特徴とする。
【０００９】
従って、請求項１記載の考案にあっては、使用時には、使用者の踵はインソールの踵支持部に形成された凹部により包み込まれる状態になり、歩行時等に踵が踵支持部により確実に支持され、踵が踵支持部から前方へ移動する事態を防止できる。
【００１０】
請求項２記載の考案は、前記凹部は前記踵の底部及び側方下部を収納できるように形成されていることを特徴とする請求項１記載のインソールである。
【００１１】
従って、請求項２記載の考案にあっては、使用時には使用者の踵の底部及び側方下部は前記凹部に収納される。
【００１２】
請求項３記載の考案は、前記踵支持部は全体が下方へ膨出する凹状に形成され、前記踵支持部の最低部は前記アッパーとヒールとの境界部位よりも下方に位置することを特徴とする請求項１記載のインソールである。
【００１３】
請求項４記載の考案は、前記踵支持部は、幅方向両端部と前記最低部との間隔寸法は８ｍｍ以上であって１０ｍｍ以下に形成されていることを特徴とする請求項１記載のインソールである。
【００１４】
請求項５記載の考案は、前記踵支持部は、前記ヒール及び前記アウトソールが前記接地面に接地した場合には、前記踵支持部の最低部は土踏まず対応部の頂部よりも下方に配置されるように形成されていることを特徴とする請求項４記載のインソールである。
【００１５】
従って、請求項５記載の考案にあっては、前記踵支持部は、前記ヒール及び前記アウトソールが前記接地面に接地した場合には、前記踵支持部の最低部は土踏まず対応部の頂部よりも下方に配置されることから、踵は土踏まず対応部よりも下方に配置されることとなる。
【００１６】
請求項６記載の考案にあっては、前記踵支持部には、踵支持部一般面よりも下方となる踵支持凹部が形成されていることを特徴とする請求項５記載のインソールである。
従って、請求項６記載の考案にあっては、使用者が本件考案に係るインソールが装着された靴を履いた場合に使用者の踵は踵支持凹部内に支持されることとなる。
【００１７】
請求項７記載の考案にあっては、前記土踏まず対応部は、前記踵支持部に対して上方へ膨出する相対的凸部を形成することを特徴とする請求項１記載のインソールである。
従って、使用者が本件考案に係るインソールが装着された靴を履いた場合には土踏まず対応部は使用者の土踏まずに当接する。
【００１８】
請求項８記載の考案は、前記土踏まず対応部は全体が上方へ膨出する凸状に形成され、使用時には使用者の土踏まずに当接する形状に形成されていることを特徴とする請求項１記載のインソールである。従って、請求項８記載の考案にあっては、使用時には土踏まず対応部は使用者の土踏まずへ当接する。
【００１９】
請求項９記載の考案は、前記土踏まず対応部及び前記踵支持部の周縁部には上方へ突出する支持縁部が形成されていることを特徴とする請求項１乃至８のいずれか１項に記載のインソールである。
従って、請求項９記載の考案にあっては、上記支持縁部が使用者の踵及び土踏まずを周縁から支持する。
【００２０】
請求項１０記載の考案は、前記踏み付け部支持部は、前記踏み付け部を収納できる凹部により形成されていることを特徴とする請求項１記載のインソールである。
従って、請求項１０記載の考案にあっては、使用者の踏み付け部は踏み付け部支持部内に支持されることとなる。
【００２１】
請求項１１記載の考案は、前記踏み付け部支持部は、幅方向に沿って下方へ膨出する凸状に形成され、前記踏み付け部を収納できるように形成されていることを特徴とする請求項１記載のインソールである。
【００２２】
請求項１２記載の考案にあっては、前記踵支持部の裏面側に形成されるヒール固定面部の幅方向断面における曲率半径は２４ｍｍ以上２７ｍｍ以下であることを特徴とする。
【００２３】
請求項１３記載の考案にあっては、前記踵支持部の表面側に形成される踵支持凹部の幅方向断面における曲率半径は４０ｍｍ以上４３ｍｍ以下であることを特徴とする。
【考案の効果】
【００２４】
請求項１に記載の考案にあっては、  履いた場合に踵がつま先よりも高く配置するように構成されたヒールが裏面側に固定され、表面側にアッパーが固定されると共に裏面側にアウトソールが固定され、使用者の足の踏み付け部を支持する踏み付け部支持部と、前記踏み付け部支持部に連設され、後端部方向へ向かって立ち上がる傾斜を有して使用者の足の土踏まずに対応する土踏まず対応部と、前記土踏まず対応部に連設された踵支持部とを有するインソールにおいて、前記踵支持部は使用者の踵を包み込める凹部を有するように形成されており、使用時には、使用者の踵はインソールの踵支持部に形成された凹部により包み込まれる状態になることから、歩行時等に踵が踵支持部により確実に支持され、踵が踵支持部から前方へ移動する事態を防止できる。
【００２５】
その結果、履いた場合に踵がつま先よりも高く配置されるヒールを有する靴を履いた場合であっても、使用者の体重を踏み付け部のみならず踵においても支持することが可能となる。
従って、従来のように、パンプスやハイヒールを履いて歩行した場合であっても、歩行時等に足の踏み付け部、つま先方向のみに使用者の全体重がかかる事態を有効に防止することが可能となり、その結果、長時間履いた場合であっても外反母趾の発症を抑止することができると共に、足全体にバランスよく体重が掛かることから、歩行時の疲労を有効に軽減することが可能となる。
【００２６】
請求項２記載の考案にあっては、前記凹部は前記踵の底部及び側方下部を収納できるように形成されており、使用時には使用者の踵の底部及び側方下部は前記凹部に収納されるように構成されていることから、請求項１記載の考案の効果に加えて、使用者の踵は前記凹部によって確実に保持され、パンプス又はハイヒールにおいても使用時の使用者の踵のつま先方向への移動等を阻止でき、確実に踵を、使用者の体重を支持した状態で保持することが可能となる。
【００２７】
請求項３記載の考案にあっては、前記踵支持部は全体が下方へ膨出する凸状に形成され、前記踵支持部の最低部は前記アッパーとヒールとの境界部位よりも下方に位置するように構成されており、また、請求項４記載の考案は、前記踵支持部は、幅方向両端部と前記最低部との間隔寸法は８ｍｍ以上であって１０ｍｍ以下に形成されていることから、請求項１記載の考案の効果に加えて、確実に踵の支持が可能となり、パンプス又はハイヒールを履いた場合においても、使用者の体重を、つま先部、踏み付け部のみならず踵で支持した状態で保持することが可能となる。
【００２８】
請求項５記載の考案にあっては、前記踵支持部は、前記ヒール及び前記アウトソールが前記接地面に接地した場合には、前記踵支持部の最低部は土踏まず対応部の頂部よりも下方に配置されるように形成されていることから、例えば、使用者が本件考案に係るインソールが装着されたパンプス又はハイヒールを履いた場合には、踵の位置が土踏まずよりも下方に位置することとなるため、より確実に踵での体重の支持が可能となり、使用者の体重を、つま先部、踏み付け部のみならず踵で支持した状態で保持することが可能となる。
【００２９】
請求項７記載の考案にあっては、前記土踏まず対応部は、前記踵支持部に対して上方へ膨出する相対的凸部を形成すると共に、請求項８記載の考案は、前記土踏まず対応部は全体が上方へ膨出する凸状に形成され、使用時には使用者の土踏まずに当接する形状に形成されていることから、使用者が本件考案に係るインソールが装着された靴を履いた場合には土踏まず対応部は使用者の土踏まずに当接する。
従って、使用者の土踏まずも、踵と同様に積極的にインソールにより支持されることとなるため、足はパンプス、又はハイヒール内において前後動がない状態に固定され、歩行時にもつま先、踏み付け部のみに体重が掛かる事態を防止することが可能となり、外反母趾の抑止に有効である。
【００３０】
請求項９記載の考案は、前記土踏まず対応部及び前記踵支持部の周縁部には上方へ突出する支持縁部が形成されており、上記支持縁部が使用者の踵及び土踏まずを周縁から支持することから、上記支持縁部により使用者の足が周囲から支持されるため、左右及び前後動が規制されることにより、靴内における足の前後方向及び幅方向におけるズレを低減でき、つま先、踏み付け部及び踵における体重支持を有効に行うことが可能となる。
【００３１】
請求項１０記載の考案は、前記踏み付け部支持部は、前記踏み付け部を収納できる凹部により形成されると共に、請求項１１記載の考案は、前記踏み付け部支持部は、全体が下方へ膨出する凹状に形成され、前記踏み付け部を収納できるように形成されていることから、使用者の踏み付け部は踏み付け部支持部内に支持され、前後方向の足のズレは確実に規制される。
【００３２】
請求項１１記載の考案にあっては、前記踏み付け部支持部は、幅方向に沿って下方へ膨出する凸状に形成され、前記踏み付け部を収納できるように形成されていることから、踏み付け部支持部を収納することができる。
【００３３】
請求項１２記載の考案にあっては、前記踵支持部の裏面側に形成されるヒール固定面部の幅方向断面における曲率半径は２４ｍｍ以上２７ｍｍ以下であるように形成されていることから、踵支持部の裏面側は所定の曲率を有するためヒール部を確実に固定することができる。
【００３４】
請求項１３記載の考案にあっては、前記踵支持部の表面側に形成される踵支持凹部の幅方向断面における曲率半径は４０ｍｍ以上４３ｍｍ以下であることから、使用者の踵を包み込めるような従来のインソールに比して大きな曲率半径を以て形成されており、請求項１２に規定されたヒール固定面部の幅方向断面における曲率半径と相まって、ハイヒールの踵部分全体を幅方向において小型化することが可能となる。
その結果、インソールに固定されるヒールの幅寸法を低減することができ、デザイン性に優れ、外観品質に富んだハイヒールを作製することができる。
【図面の簡単な説明】
【００３５】
【図１】本考案の一実施の形態に係るインソールが内装されたハイヒールを示す側面図である。
【図２】本考案の一実施の形態に係るインソールを前端部側から見た状態を示す斜視図である。
【図３】本考案の一実施の形態に係るインソールを後端部側から見た状態を示す斜視図である。
【図４】本考案の一実施の形態に係るインソールを裏面側から示す斜視図である。
【図５】本考案の一実施の形態に係るインソールを示す側面図である。
【図６】本考案の一実施の形態に係るインソールを示し、図３におけるＡ−Ａ線断面図である。
【図７】本考案の一実施の形態に係るインソールを示し、図３におけるＡ−Ａ線断面図である。
【図８】本考案の一実施の形態に係るインソールを示し、図３におけるＢ−Ｂ線断面図である。
【図９】本考案の一実施の形態に係るインソールを示し、図３におけるＣ−Ｃ線断面図である。
【考案を実施するための形態】
【００３６】
以下に図面を参照して、本考案の実施の形態を詳細に説明する。ただし、本実施の形態に記載されている構成部品の寸法、材質、形状、その相対配置などは、特に特定的な記載がない限りは、本考案の範囲をそれらのみに限定する趣旨のものではない。
【００３７】
図１に示すように、本実施の形態に係るインソール１０は、履いた場合に踵がつま先よりも高く配置されるヒール５３が裏面側に固定され、表面側にはアッパー５１が固定されると共に裏面側にはアウトソール５２が固定される女性用靴、例えば、パンプス又はハイヒールに内装されるインソールである。本実施の形態にあってはハイヒール５０を例に説明する。
【００３８】
ハイヒール５０は、インソール１０と、インソール１０の後端部裏面側に固定されるヒール５３と、インソール１０の表面側に取り付けられるアッパー５１と、インソール１０の裏面側に固定されるアウトソール５２とを備えている。
また、後述するように、本実施の形態に係るインソール１０が適用されるハイヒール５０にあっては、ヒール５３の上端部には凹部５４が形成され、当該凹部５４において適宜の固定手段によりヒール５３がインソール１０に対して固定されるように構成されている。
【００３９】
本実施の形態に係るインソール１０は、図２及び図３に示すように、全体略板状であって、使用者の足のつま先を支持するつま先部２４と、つま先部２４の後端部１３方向に連設され、踏み付け部を支持する踏み付け部支持部１１と、前記踏み付け部支持部１１の後端部１３側に連設され、後端部１３方向へ向かって立ち上がる傾斜部を有して上方へ折曲され、使用者の足の土踏まずに対応する土踏まず対応部１４と、前記土踏まず対応部１４の後端部１３側に連設された踵支持部１５とを有している。
【００４０】
本実施の形態に係るインソール１０は合成樹脂製であって、例えば、塩化ビニル樹脂、ポリエチレン樹脂、ポリエチレン樹脂、エチレン酢酸ビニル樹脂、またはウレタン樹脂等の合成樹脂材料が用いられており、型成形による一体成型で形成されている。
なお、上記の合成樹脂の発泡体を用いた場合には、クッション性のあるインソールを製造することができる。
【００４１】
本実施の形態に係るインソール１０にあっては、つま先部２４及び踏み付け部支持部１１１は平面略三角形状に形成されており、踏み付け部支持部１１の後端部１３側に連設されている土踏まず対応部１４は、踏み付け部支持部１１よりも絞り込まれて細幅に形成され、踵支持部１５は土踏まず対応部１４と略同一幅に形成されている。踵支持部１５の後端部１３側は後方へ膨出する平面略半円状に形成されている。
踏み付け部支持部１１は、前記踏み付け部を収納できる凹部２６により形成されている。
【００４２】
本実施の形態にあっては、図４及び図６に示すように、踵持部１５は、下方へ大きく湾曲形成されて形成されている。そして、踵支持部１５は、表面部側に使用者の踵を包み込める凹部１６を有しており、凹部１６は使用者の踵の底部及び側方下部を収納できるように形成されている。また、裏面部側には、下方へ膨出する所定の曲率半径からなる湾曲面部からなるヒール固定面部２５が形成されている。
なお、上記のように本実施の形態に係るインソール１０に装着されるヒール５３にあっては、上端部に、上記ヒール固定面部２５の曲率半径と同一の曲率半径もしくは、ヒール固定面部２５の曲率半径よりも緩やかな曲率半径を以て形成された固定用の凹部５４により形成され、ヒール５３のインソール１０への装着時にはヒール固定面部２５に対してヒールネイル（図示せず）により固定されるように構成されている。
また、踵支持部１５には、凹部１６内にさらに、踵支持部一般面１５ａよりもさらに下方に位置する踵支持凹部２２が段部２３を以て形成されている。
【００４３】
図３、図６及び図８に示すように、凹部１６は、踵支持凹部２２を含めて全体として、緩やかな傾斜を有する「すり鉢状」に形成され、中央部には最低部１８が形成されている。
この最低部１８は使用者がインソール１０が装着されたハイヒールの装用時における踵に作用する体重を支持する中心点を形成する。
本実施の形態にあっては、図６に示すように、踵支持部１５は全体が下方へ膨出する凹状に形成され、本実施の形態にあっては、上端部１７と最低部１８との間隔寸法Ｌは９ｍｍに形成されている。
図６及び図７に示すように、踵支持部１５は幅方向においては、前端部１２方向に連設する土踏まず支持部１４よりも大きな曲率半径を持った円弧状に形成されている。本実施の形態にあっては、踵支持凹部２２の幅方向断面における曲率半径ｒ１は４１．３ｍｍであると共に、ヒール固定面部２５の幅方向断面における曲率半径ｒ２は２５．７ｍｍに形成されている。
曲率半径ｒ１は、仮想中心Ｏ1から踵支持凹部２２との間に形成される半径寸法であり、曲率半径ｒ２は、仮想中心Ｏ２からヒール固定面部２５との間で形成される半径寸法である。
また、踵支持部１５の厚さ寸法は土踏まず当接部１４の厚さ寸法よりも小さく形成されている。その結果、踵支持部１５の平面円弧状の周縁部１５ｂは、後述の支持縁部２１ｂを含めてどの部位においてもインソール１０の一般面上方へ立ち上がって形成され、使用時に使用者の踵の底部及び側方下部を収納して包み込めるように構成されている。
【００４４】
本実施の形態に係るインソール１０がハイヒール５０に内装された場合には、上記のようにヒール５３は、上端部に形成された凹部５４において踵支持部１５の裏面側に適宜の固定手段であるヒールネイル（図示せず）により固定される。
【００４５】
この場合、図１に示すように、ヒール５３、アウトソール５２及びアッパー５１がインソール１０に装着されて接地面１９上に、接地部３５及びトップリフト５６を介して配置された場合には、踵支持部１５の最低部１８は前記ヒール５３とアッパーとの間の境界部位に形成される境界線５５よりも下方に位置するように、又は同じ高さになるように配置される。
また、図１に示すように、前記踵支持部１５は、ハイヒール５０に内装されて接地面１９にヒール５３及びアウトソール５２が接地部３５において接地した場合には、前記踵支持部１５の最低部１８は土踏まず対応部１４の頂部２０よりも下方に配置されるように形成されている。
【００４６】
図２及び図３に示すように、本実施の形態にあっては、踵支持部１５の前端部１２方向には土踏まず対応部１４が連設されており、土踏まず対応部１４は、長さ方向に沿って全体が上方へ緩やかに膨出する凸状に形成されており、その結果、土踏まず対応部１４は踵支持部１５に対して上方へ膨出する相対的凸部を形成している。
【００４７】
即ち、図１に示すように、インソール１０がハイヒール５０に内装されて接地面１９にヒール５３及びアウトソール５２が接地部３５において接地した場合には、インソール１０の長さ方向において、前記踵支持部１５の最低部１８は土踏まず対応部１４の頂部２０よりも下方に配置される関係性を以て構成されている。
従って、結果的に、土踏まず対応部１４は踵支持部１５に対して上方へ突出する相対的凸部を形成することとなる。その結果、使用者が本実施の形態に係るインソール１０が内装されたハイヒール５０を装用した場合には、土踏まず対応部１４は使用者の土踏まずに当接することとなる。
また、図８及び図５に示すように、土踏まず対応部１４は、幅方向においては踵支持部１５よりも緩やかな曲率半径を持った下方へ膨出する円弧状を描いて形成されている。
【００４８】
また、図２及び図３、図５に示すように、土踏まず対応部１４及び踵支持部１５の周縁部には上方へ突出する支持縁部２１が形成されている。
この支持縁部２１は、土踏まず対応部１４においては、土踏まず対応部１４の平面方向に沿って延出する支持縁部２１ａを形成しているが、土踏まず対応部１４から踵支持部１５にかけて次第に立ち上がって延出され、踵支持部１５においてはほぼ直立する姿勢となり、起立した支持縁部２１ｂとして配置されている。
【００４９】
土踏まず対応部１４の前端部１２側には踏み付け部支持部１１が延設されている。図１、図４及び図５に示すように、本実施の形態にあっては、踏み付け部支持部１１は幅方向全体に沿って下方へ膨出する凸部として形成され、使用者の足の踏み付け部を収納できるように構成されている。また、踏み付け部支持部１１の先端部１２側には平板状のつま先部２４がさらに延設されている。
【００５０】
以下、本実施の形態に係るインソール１０の作用について説明する。
図１に示すように、本実施の形態に係るインソール１０を用いてハイヒール５０を作製する場合には、インソール１０の踵支持部１５の裏面側のヒール固定面部２５に対してヒール５３の上端部に形成された凹部５４を当接させた状態で、適宜のヒールネイル（図示せず）を介してヒール５３をインソール１０に対して固定する。
【００５１】
その後、ヒール５３の先端部にトップリフト５６を固定すると共に、インソール１０にアッパー５１及びアウトソール５２が適宜固定されることにより、ハイヒール１０が作製される。
【００５２】
この場合、上述のように、踵支持部１５の平面円弧状の周縁部１５ｂは、支持縁部２１ｂを含めてどの部位においてもインソール１０の一般面上方へ立ち上がって形成され、使用時に使用者の踵３１の底部３１ａ及び側方下部３１ｂを収納して包み込めるように構成されていることから、踵３１は踵支持部１５において安定して保持される。
その結果、ハイヒール５０を履いて歩行した場合であっても、安定した歩行が可能となると共に、踵の位置が固定されることから長時間の歩行においても疲労を軽減することが可能となる。
【００５３】
また、踵支持部１５の最低部１８は前記ヒール５３とアッパー５１との間の境界部位に形成される境界線５５よりも下方に位置するように配置されていると共に、前記踵支持部１５は、ハイヒール５０に内装されて地面等の接地面１９にヒール５３及びアウトソール５２が接地部３５を介して接地した場合には、前記踵支持部１５の最低部１８は土踏まず対応部１４の頂部２０よりも下方に配置されるように形成されていることから、使用者の踵３０が踵支持部１５において、使用者の体重を支持することができる。
その結果、従来のハイヒール内における足３０が前方へ移動することによりつま先部３４及び踏み付け部３３に使用者の体重が集中して掛かる事態を排除でき、使用者の体重は踵３１においても支持されることから、ハイヒールにおいても体重を分散して支持することが可能となる。
【００５４】
従って、従来、ハイヒールを履いた場合に、使用者の体重がつま先３４及び踏み付け部３３のみに集中して掛かることが原因となった外反母趾を有効に抑止することが可能となる。
【００５５】
また、踵支持部１５の裏面部側には、下方へ膨出する湾曲面部からなるヒール固定面部２５が形成されていることから、使用者の踵を包み込めるような、従来のインソールに比して幅方向断面において大きな曲率半径を以て形成されており、ハイヒールの踵部分全体を幅方向において小型化することが可能となる。その結果、インソール１０に固定されるヒール５３の幅寸法を低減することができ、デザイン性に優れ、外観品質に富んだハイヒールを作製することができる。
【００５６】
また、本実施の形態にあっては、土踏まず対応部１４は、長さ方向に沿って全体が上方へ緩やかに膨出する凸状に形成されており、その結果、土踏まず対応部１４は踵支持部１５に対して上方へ膨出する相対的凸部を形成していることから、使用者の装用時には、土踏まず支持部１４は使用者の足３０の土踏まず３２に当接する。
【００５７】
その結果、使用者の土踏まず３２もインソール１０により支持されることとなるため、足はハイヒール５０内において前後動しにくい状態に固定されるため、歩行時にもつま先３４及び踏み付け部３３のみに体重が掛かる事態を防止することが可能となり、より有効に外反母趾を抑止することができる。
【００５８】
さらに、本実施の形態にあっては、踏み付け部支持部１１は幅方向全体に沿って下方へ膨出する凹部として形成され、使用者の足の踏み付け部３３を収納できるように構成されていることから、踏み付け部３３において足３０はしっかりと保持され、ハイヒール５０内において前後動しにくい状態に保持される。
その結果、踏み付け部支持部１１は、上記のように、踵３１が踵支持部１５に保持された状態を維持することに寄与することから、踏み付け部支持部１１も相まって外反母趾の抑止及び歩行時の疲労を軽減することが可能となる。
【００５９】
本実施の形態にあっては、インソール１０をハイヒールに適用した場合を例に説明したが、いわゆるパンプス、さらにその他の同様の形態の靴に適用してもよく、本実施の形態には限定されない。
本実施の形態にあっては、踵支持部１５の最低部１８が前記ヒール５３とアッパー５１との間の境界部位に形成される境界線５５よりも下方に位置するように配置されている場合を例に説明したが、本実施の形態に限定されず、踵支持部１５の最低部１８が前記ヒール５３とアッパー５１との間の境界部位に形成される境界線５５と同じ高さ位置に配置するように構成してもよい。
【００６０】
以上、本実施の形態を説明したが、本考案は、本実施の形態に限定されることなく、その要旨を逸脱しない範囲内で種々の変形実施をすることが可能である。
【産業上の利用可能性】
【００６１】
本考案は、インソールに広く適用することができることから産業上の利用可能性を有している。
【符号の説明】
【００６２】
１０      インソール
１１      踏み付け部支持部
１２      前端部
１３      後端部
１４      土踏まず支持部
１５      踵支持部
１５ａ    踵支持部一般面
１６      凹部
１７      上端部
１８      最低部
１９      接地面（地面）
２０      頂部
２１      支持縁部
２２      踵支持凹部
２３      段部
２４      つま先部
２５      ヒール固定面部
２６      凹部
３０      足
３１      踵
３１ａ    底部
３１ｂ    側方下部
３２      土踏まず
３３      踏み付け部
３４      つま先部
３５      接地部
５０      ハイヒール
５１      アッパー
５２      アウトソール
５３      ヒール
５４      凹部
５５      境界部位
５６      トップリフト
Ｌ        間隔寸法
【図１】
0003226834.tif 000003
【図２】
0003226834.tif 000004
【図３】
0003226834.tif 000005
【図４】
0003226834.tif 000006
【図５】
0003226834.tif 000007
【図６】
0003226834.tif 000008
【図７】
0003226834.tif 000009
【図８】
0003226834.tif 000010
【図９】
0003226834.tif 000011